(57)【要約】【課題】任意の規模の施設を簡便に構築出来ると共に、構築後の運用時における内部の点検、清掃等の保守管理が容易であり、さらに、土砂の堆積等に伴う初期機能の劣化を防止出来る機能を付加することも可能とする。【解決手段】雨水貯留浸透施設は、一定の幅ｗで長さＬが異なる複数種類のパネル１を用い、このパネル１により平面方形の中空柱状の桝ユニット２を組み立て、これら桝ユニット２を縦横に間隔を置いて配列すると共に、これら桝ユニット２を互いに固定し、地盤の中に雨水を貯留する空間を形成した。【選択図】図４
2008248479.tif 000002
【特許請求の範囲】
【請求項１】
雨水を貯留し、さらにこの雨水を地盤に浸透させる雨水貯留浸透施設であって、一定の幅（ｗ）で長さ（Ｌ）が異なる複数種類のパネル（１）を用い、このパネル（１）により平面方形の中空柱状の桝ユニット（２）を組み立て、これら桝ユニット（２）を縦横に間隔を置いて配列すると共に、これら桝ユニット（２）を互いに固定し、地盤の中に雨水を貯留する空間を形成したことを特徴とする雨水貯留浸透施設。
【請求項２】
桝ユニット（２）には、それを構築するパネル（１）に中空な半球形体（１４）の中心から放射状にスリット（１５）を設けたフィルタ（１１）を取り付けたことを特徴とする請求項１に記載の雨水貯留浸透施設。
【請求項３】
桝ユニット（２）の底部に上面に波形を有し、この波形の波長方向と直交する方向に勾配が設定された雨水案内面（２２）を有する整流用底盤（２１）が設けられ、この整流用底盤（２１）の雨水案内面（２２）の勾配の最下位側のパネル（１）には、前記波形の溝部分に対応して雨水排出孔（６）が開設されていることを特徴とする請求項１に記載の雨水貯留浸透施設。
【発明の詳細な説明】
【技術分野】
【０００１】
本発明は、降雨時に舗装面等に降った雨水を集めて一時的に貯留し、漸次地盤に浸透させる雨水貯留浸透施設に関し、特に地下に多数の桝の集合体として構築するのに好適な雨水貯留浸透施設に関する。
【背景技術】
【０００２】
雨水を処理する施設は、地上開放型の流量調整池が従来の主力工法であった。しかし、調整池を設けることは、地上の有効利用という観点からはデッドスペースとなることから、近年は浸透を主力としたトレンチ工法による施設や貯留を主力とした地下型の調整池の施設に主力が移行している。これらは、完全に雨水を貯留するものと、一部浸透を図るものとがある。何れのものも、地上部は緑地或いは駐車場等に土地を有効活用することが出来る。
【０００３】
さらにに雨水の処理施設は、コンクリートの躯体及びコンクリート二次製品を使用した構造からプラスチック成形品による構造体に主力が大きく移行している。プラスチック成型品で構成された処理施設は、高さは異なるが０．５ｍ角から１．０ｍ角程度のブロック体及び部材を組み立てたブロック体、或いは組み立て構造などによって縦、横、高さを接続して計画規模の雨水貯留浸透施設としている。
【０００４】
しかしながら、雨水貯留浸透施設の内部は、施設を構成している部材が密集していることから施設内に目視点検するための空間がない。このため、施設内を点検するための点検口及び点検桝からの正常な内部機能の点検が出来ず、初期の機能を持続させるための適正な維持管理を行うことが難しい構造となっている。最大の問題点は施設内に入っての保守点検が出来ない構造である。
【０００５】
また、雨水貯留浸透施設内に流入する雨水は、駐車場や緑地帯他の表面排水及び建築物の屋根やＵ字溝排水など様々な構造物から排出されたものであるため、土や土粒子、砂、小砂利等の汚濁物を含んでいる。特に、一時的に集中して降雨した場合は、多量の汚濁物が施設内に流入し降雨の度に汚濁物他が施設内に堆積して初期の機能は経時的に減少する。近年の工法において、人的、機械的な汚濁物他の排出及び施設内の清掃などに関する効果的な工法がないことは、雨水貯留浸透施設の構成及びその構造が問題点である。
【０００６】
【特許文献１】特開２００６−３７４８２号公報
【特許文献２】特開２００５−１３３３７６号公報
【特許文献３】特開２００５−５４４０３号公報
【特許文献４】特開２００５−１６０８４号公報
【特許文献５】特開平７−１６６５９５号公報
【発明の開示】
【発明が解決しようとする課題】
【０００７】
本発明は、前記従来の雨水貯留浸透施設における前述した課題に鑑み、任意の規模の施設を簡便に構築出来ると共に、構築後の運用時における内部の点検、清掃等の保守管理が容易であり、さらに、土砂の堆積等に伴う初期機能の劣化を防止出来る機能を付加することも可能な雨水貯留浸透施設を提供することを目的とする。
【課題を解決するための手段】
【０００８】
本発明では、前記の目的を達成するため、パネル１により組み立てられた平面方形の中空柱状の桝ユニット２を縦横に間隔を置いて配列し、且つこれら桝ユニット２を互いに固定し、地盤の中に雨水を貯留する空間を形成したものである。これにより、施工の容易性に併せて、保守、管理の容易性を得るものである。
【０００９】
すなわち、本発明による雨水貯留浸透施設は、一定の幅ｗで長さＬが異なる複数種類のパネル１を用い、このパネル１により平面方形の中空柱状の桝ユニット２を組み立て、これら桝ユニット２を縦横に間隔を置いて配列すると共に、これら桝ユニット２を互いに固定し、地盤の中に雨水を貯留する空間を形成したものである。
【００１０】
本発明による雨水貯留浸透施設では、平面方形の中空柱状の桝ユニット２が一定の幅ｗで長さＬが異なる複数種類のパネル１によりを組み立てられるため、寸法が異なるモジュール化された複数種類のパネル１を揃えるだけで、深さが異なる平面方形の中空柱状の桝ユニット２を簡単に組み立てることができる。そして、このような桝ユニット２を縦横に間隔を置いて配列し、互いに固定して施設を構成するため、平面上の縦横の寸法が異なる任意の規模の雨水貯留浸透施設を構築することが出来る。
【００１１】
さらに、桝ユニット２を縦横に間隔を置いて配列して雨水貯留浸透施設を構築しているので、桝ユニット２の中及び桝ユニット２の間は空間となり、雨水の貯留可能な容積が大きく取れるのに加え、施設の内部を目視検査したり、内部に貯まった土砂等の堆積物を取り除くという点検、管理、保守が容易となる。
【００１２】
前記の桝ユニット２には、それを構築するパネル１に中空な半球形体１４の中心から放射状にスリット１５を設けたフィルタ１１を取り付けることも出来る。これにより、桝ユニット２の内部或いはそれらの間の空間に粗大なゴミが入り込むことを防止することが出来る。そして、保守、清掃時には、それらの粗大なゴミをフィルター１１と共に外部に取り出すことも可能となる。
【００１３】
前記桝ユニット２の底部には、上面に波形を有し、この波形の波長方向と直交する方向に勾配が設定された雨水案内面２２を有する整流用底盤２１を設けることが出来る。この整流用底盤２１により、桝ユニット２の底部における雨水の流れを整えることが可能となる。そしてこの整流用底盤２１の雨水案内面２２の勾配の最下位側のパネル１に前記波形の溝部分に対応して雨水排出孔６を開設することにより、桝ユニット２の底部で一定方向に流れを整えられた雨水が桝ユニット２から一定の方向に排水することが可能となる。これにより、桝ユニット２の底部に体積する土砂等を有効に排出処理することが出来る。
【発明の効果】
【００１４】
以上説明した通り、本発明による雨水貯留浸透施設では、複数種類のモジュール化されたパネル１を揃えるだけで、深さ及び平面上の寸法が異なる任意の規模の雨水貯留浸透施設を容易に構築することが出来る。さらに、雨水の貯留可能な容積が大きくとれるのに加え、施設の内部を目視検査したり、内部に貯まった土砂等の堆積物を取り除くという管理、点検、保守が容易な雨水貯留浸透施設を構築することが出来る。
【発明を実施するための最良の形態】
【００１５】
本発明では、パネル１により組み立てられた平面方形の中空柱状の桝ユニット２を縦横に間隔を置いて配列して雨水貯留浸透施設を構築するものである。これにより、任意の規模の雨水貯留浸透施設を容易に施工することを可能とし、さらに施工後の運用時における保守、管理を容易にするものである。
以下、本発明を実施するための最良の形態について、実施例をあげて詳細に説明する。
【００１６】
商業及び宅地、他の土地開発に関する雨水貯留浸透施設において、特に方形の貯留浸透施設、例えば、幅１０ｍ〜８０ｍ程度の規模、特に約４ｍ幅、延長約２００ｍ以内の規模の矩形の雨水貯留浸透の場合、図１に示すように、幅ｗが同一、例えばｗ＝６００ｍｍで長さＬが異なる数種類の定型のパネル１を使用する。雨水貯留浸透施の高さに応じて必要な長さＬの前記パネル１を４枚使用し、図２に示すように、これらパネル１を箱状にボルトで固定して平面が矩形の中空柱状の桝ユニット２を組み立てる。
【００１７】
図３に示すように、これら桝ユニット２を、或る一定間隔を保ち施設の平面寸法に応じて縦方向及び横方向に単独で設置し、隣接する前記桝ユニット２の上部平面を前記パネル１を使用してボルトで互いに固定し、さらにパネル１同士をボルト或いはクリップなどで固定してスラブを構成する。桝ユニット２とパネル１を一体化させ外周の桝ユニット２の間の空間は規模に応じたパネル１で側面を接続する。これにより、雨水貯留浸透施設を構築する。
以下、本発明の実施形態をより具体的に説明する。
【００１８】
図１に示したパネル１は、桝ユニット２を組み立て、さらにはそれら桝ユニット２を互いに固定するためのモジュール化された例えばプラスチック成型体からなるパネル状の部材である。その内部には、補強のための筋材が配筋された状態で成型されている。例えば、パネル１の一方の平面の外周に７０ｍｍ幅の帯状の枠を施し、その枠の内側に縦及び横に直線で交わる補強筋を配した構造からなる。
【００１９】
図１に示す通り、このパネル１の幅ｗは６００ｍｍで、厚さｔは７０ｍｍで何れも共通である。このパネル１の長さＬは、９００ｍｍ、１２００ｍｍ、１５００ｍｍ、１８００ｍｍの４つのサイズを基本とする。但し、雨水貯留浸透施設の深さに応じて例えば、図２に示す通り長さＬ1＝９００ｍｍ、とＬ2＝１２００ｍｍのパネル１を接続して長さＬ＝Ｌ1＋Ｌ2＝２１００ｍｍ等のように、複数枚のパネル１を長手方向に連結して組み合わせてとして使用することも出来る。
【００２０】
図３に示すように、桝ユニット２は、前記のパネル１を使用し、平面方形の中空柱状に組み立てたものである。すなわち、桝ユニット２は、同じ長さの定型のパネル１を４枚組み合わせ、パネル１同士をボルトによって接続及び固定し、平面方形の箱形の中空柱状とする。図３では、４枚のパネルを使用し、幅ｗ＝６００ｍｍ、奥行きｗ＋２ｔ＝７４０ｍｍ、高さｈの平面矩形の中空柱状の桝ユニット２を組み立てたた例である。一枚ずつのパネル１を使用した場合、桝ユニット２の高さｈは、使用パネル１の長さＬと等しく、ｈ＝Ｌである。他方、例えば図２に示すように、高さＬ1とＬ2の２枚のパネル１を接続した場合、図３に示した桝ユニット２の高さｈは、ｈ＝Ｌ1＋Ｌ2となる。
【００２１】
こうして組み立てられた桝ユニット２を使用して雨水貯留浸透施設を構築するには、まず、その雨水貯留浸透桝施設の規模に応じて地盤を掘削し、図５〜図８に示すように、掘削した地盤の底部に砕石や割栗石等を敷いて転圧し、耐圧地盤層３を施工し、この耐圧地盤層３の上にコンクリートを打設して基礎底盤４を設ける。この基礎底盤４の上に前記の中空柱状の桝ユニット２を縦に設置する。
【００２２】
例えば図４に示すように、平面正方形の雨水貯留浸透施設を施工する場合は、桝ユニット２を雨水貯留浸透施設の横方向にｄ3＝６００ｍｍの等間隔で設置し、当該施設の規模に応じて必要な本数を単独で設置する。雨水貯留浸透施設の縦方向については、始端の桝ユニット２と終端の桝ユニット２からそれぞれ２列目の桝ユニット２の間隔をｄ１＝３９０ｍｍとし、その間の桝ユニット２の間隔はｄ2＝４６０ｍｍの等間隔とし、当該施設の規模に応じて必要な本数を単独で設置する。桝ユニット２の間の横方向の間隔はｄ1＝６００ｍｍであることから、その部分に桝ユニット２と同じ高さの幅ｗ＝６００ｍｍのパネル１を嵌め込み、ボルトで固定し、雨水貯留浸透施設の横方向の側壁とする。雨水貯留浸透施設の縦方向については、桝ユニット２の間の間隔がｄ1＝３９０ｍｍとｄ2＝４６０ｍｍであることから、縦方向に隣接する桝パネル１にわたってその外側に同じ高さのパネル１を当て、これをボルトで固定し、雨水貯留浸透施設の縦方向の側壁とする。このようにして施工、設置された桝ユニット２は、横方向及び縦方向に其々に一定の空間を保ち独立している。
【００２３】
さらに図５〜図８に示すように、桝ユニット２の上面は、定型のパネル１を敷き詰め、固定してスラブ構造とする。桝ユニット２の上面においてパネル１は、全て横方向に敷設するが、横方向の始端側と終端側の各一枚通りは、１５００ｍｍの定型パネルを使用し、始端側と終端側の間は、全て１２００ｍｍのパネル１を使用する。パネル１は桝ユニット２とボルトで固定し、桝ユニット２の上面に敷いたパネル１は、隣接するもの同士をその長辺及び短辺において全てボルト及びクリップ等で固定し、スラブを構成し、内部に空間を有する雨水貯留浸透施設を構築する。この雨水貯留浸透施設の上面には、その内部の機能や状況を判断する点検、管理及び保守をするための点検口を当該施設の規模に応じて必要な個数を設置する。
【００２４】
この様に桝ユニット２を単独で設置し、桝ユニット２と外側をパネル１で接続、固定して一体化した雨水貯留浸透施設を構築することによって、平面方形の雨水貯留浸透施設には桝ユニット２しか存在しない。この桝ユニット２は、平面方形の中空柱状のものであるうえ、それら桝ユニット２の間は空間である。このため、施設内部の状況判断のための点検、管理及び保守を容易に行うことが出来る。
【００２５】
例えば前述した正方形の雨水貯留浸透施設の内部は、横方向の始端列から終端列まで桝ユニット２と桝ユニット２の間隔は全て６００ｍｍの等間隔で設置されていることから、縦方向に各列全て６００ｍｍ幅の直線的な空間が形成される。他方、縦方向の始端側から１列と２列の間隔及び終端側から１列と２列の桝ユニット２と桝ユニット２の間隔は３９０ｍｍの間隔で設置され、始端側及び終端側の２列目以降の桝ユニット２と桝ユニット２の間隔は４６０ｍｍの等間隔で設置されていることから、横方向の桝ユニット２と桝ユニット２との間隔は３９０ｍｍ幅の直線的な空間が形成され、始端側及び終端側から２列目以降の桝ユニット２と桝ユニット２との空間は全て４６０ｍｍ幅の直線的な空間が形成される。正方形の桝において、横方向の空間と縦方向の空間が互いに直線的に交差することから、その空間交差点は全て十字形を形成する。
【００２６】
矩形の雨水貯留浸透施設の場合も、桝ユニット２の縦横の数が違うものの、横方向の空間が６００ｍｍ、縦方向の空間が、３９０ｍｍと４６０ｍｍの直線的な空間形成であることは、正方形の雨水貯留浸透施設と同様である。
この様な施設内部の構成構造及び空間形成であることから、点検桝及び管理桝から施設内に入っての機能状況を人的に点検及び管理することが出来る。また、空間が交差する位置は全てが十字形空間を形成することから、十字形空間を形成する全ての位置からは、前後、及び左右の機能状況の目視点検が出来ると共に、機械的な遠隔操作による内部の点検及び管理も十分可能である。
【００２７】
この様に適正な維持管理によって施設内部に、土粒子或いは汚濁物などが堆積し雨水の処理機能に支障を来すと判断した場合においても、人的及び機械的に排出すること或いは、施設内の清掃もきわめて可能な雨水貯留浸透施設の維持管理を容易にしたその構成及び構造は、従来技術の問題点を解消することが出来る。
【００２８】
雨水貯留浸透施設については、開発する宅地や商業区域の面積に応じて、小規模開発、中規模開発、大規模開発に分類される。さらにその開発地域の降雨状況及び気象状況などに関連した降雨強度に応じた国土交通省の行政指導がある。１／５（５年に一度の大雨）、１／１０（１０年に一度の大雨）、１／３０（３０年に一度の大雨）、１／５０（５０年に一度の大雨）、１／１００（１００年に一度の大雨）等に定義され表現されている。
【００２９】
１／５０（５０年に一度の大雨）の降雨強度／ｈを想定し算定した貯留浸透施設の計画規模の場合、１／５（５年に一度の大雨）や１／１０（１０年に一度の大雨）の降雨強度の大雨が降った場合であっても、土粒子及び他の汚濁物を含んだ雨水は１／５０対応の施設規模及び施設全体に流入し、雨水中に含まれた土粒子や他の汚濁物も施設内全体に沈降堆積する。このことから、非効率的な点検及び管理が必要となり維持管理費用が高い。
【００３０】
このような観点から、大規模開発においては、１／５０対応の雨水貯留浸透施設の計画規模が設定された計画規模の中に、雨水が流入する何れかの場所及び部分に基礎底盤４の高さが異なる構成構造の１／５或いは、１／１０に対応可能な施設を併設し計画規模の施設を二段構造とする構造形式が適切である。図９は、このような二段構造の雨水貯留浸透施設の構造の例を示している。雨水貯留浸透施設の一部の部分の基礎底盤４を他の部分より深くし、その深くした基礎底盤４の上に設置する桝ユニット２については、２枚以上のパネル１を上下に継ぎ足したものを使用し、他の部分との深さの差に対応させる。
【００３１】
図９に示すような二段構造の雨水貯留浸透施設に流入する雨水は、例えば５年に一度の大雨を想定した容量及び容積で設定された施設の場合、その降雨強度以下の降雨は併設された施設内で処理出来る。また、１０年に一度の大雨を想定した場合も同様である。或いは、その降雨強度以上の降雨の場合は、比重の高い土粒子他の汚濁物が併設された施設内に沈降堆積する。この様に雨水貯留浸透施設の全体において処理能力が異なる或いは、底盤の高さが異なる二段構造とすることによって雨水貯留浸透施設の点検及び管理や土粒子及び他の汚濁物などの沈降した堆積物の排出及び清掃に関する維持管理業務は、通常ある一定の部分及び場所を重点的に点検、管理することによって初期の機能を維持することも可能となり、雨水貯留浸透施設の全体の維持管理費用が大幅に低減することが出来る。このような二段構造とする雨水貯留浸透施設の構造は従来工法の問題点を解消出来る。
【００３２】
平面方形の中空柱状の桝ユニット２を形成するパネル１に、フィルターを取り付けることも出来る。４枚の定型パネルで形成された箱形の桝ユニット２の内部は、全ての桝ユニット２が空洞であることから桝ユニット２内部及びその空洞内に雨水を導水することによって、貯留浸透施設の貯留量を大幅に増加させることが出来る構造となる。桝ユニット２の内部に雨水を導水する場合、雨水中に含まれる土粒子や他の汚濁物などの流入を防止するためにプラスチック製のフィルターを必要な数だけ取り付けた構造とする。
【００３３】
例えば、図１０と図１１に示したのは、スリット１５を設けた中空半球形のツバ付のフイルター１１である。このフィルター１１の構造は、半球形の中空な半球形体１４の基部に円筒部１３を連ね、この円筒部１３の端部の周囲にツバ１２を設けている。さらに、この円筒部１３の中空な半球形体１４の側に爪状のストッパー１６を円周方向に９０゜間隔で４ヶ所設ける。このストッパー１６は中空な半球形体１４側に向いた面に、基部から先端部にかけて次第に厚みが小さくなるようなテーパーを施している。ツバ１２とストッパーの１６の間の間隔は、パネル１の厚みに対応する。
【００３４】
半円球状の中空な半球形体１４には、その頂点付近から円筒部１３の付近まで、その球面の円周方向に等間隔で放射状に開口部であるスリット１５を設けている。このスリット１５は、半球形の形状に従い、その頂点付近を細く円筒部１３側に向かって徐々に幅が広がる形状としている。そしてスリット１５の間は、中空な半球形体１４の放射方向及び円周方向に設け、全てが連なった帯形リブ状の連結部１７に囲まれている。円筒部１３の外径は３０ｍｍφ〜５０ｍｍφ程度とする。フィルター１１のツバ１２は図１０に示すように円板形であっても、また図１１に示すように角形であっても良い。そのツバ１２は円筒部１３の外周にのみ設けられ、その内側は円筒部１３の内径と同じ径を有する穴となっている。
【００３５】
図１２（ａ）に示すように、桝ユニット２を構成するパネル１にフィルター１１の外形に応じた穴５を必要な数だけ設け、桝ユニット２の内側または外側からフィルター１１の中空な半球形体１４側をパネル１の前記に穴５に差し込み、ツバ１２側を木槌等で軽く叩き込む。すると、ストッパー１６がそのテーパによって穴５の中に入り込み、完全に入り込むと図１２（ｂ）に示すようにストッパー１６が原形に復帰する。この状態では、パネル１はフィルター１１のストッパー１６とツバ１２との間に挟まれるため、簡単に取り付けることが出来、この状態ではフィルター１１が固定され離脱することが無い。
【００３６】
雨水貯留浸透施設に関連する従来のフィルターは、ステンレスメッシュのフィルターが流入管及び流出管に取り付けた工法が多用されているが、特に大雨の場合などは、ステンレスメッシュフィルターに流速抵抗がかかるために、フィルターに浮遊汚濁物などが張り付き雨水の円滑な流れが妨げられる等の機能及び維持管理に問題が発生する。
【００３７】
これに対して、スリットを施した構造の前述したフィルター１１は、桝ユニット２の空洞内に雨水を流入させる流入口の円面積とスリット全体の球面空間面積を比較するとスリット全体の球面空間面積は約１．５倍に設定している。或いは、雨水が桝ユニット２の空洞内に流入する方向に対しフィルター１１のスリット１５の幅も流入方向に広がる構造であることから、フィルター１１に流速抵抗は発生しないので円滑に雨水を貯留することが出来る。また、土粒子や他の汚濁物の流入の防止或いは、浮遊汚濁物がフィルター１１の周囲に張り付くこともなく機能及び維持管理において、パネル１にフィルター１１を取り付けた構造は、従来工法の問題点を解消することが出来る。
【００３８】
このような雨水貯留浸透施設においては、平面方形の中空柱状の桝ユニット２の底部に四角形でその内部を波形状とし、且つ波形の波長方向と直交する方向に勾配を形成した雨水案内面を有するへどろ及び汚泥排出用の整流用底盤を取り付けることもある。図１３は、このような整流用底盤２１を示している。
雨水貯留浸透施設を構成する桝ユニット２は、施設形状や施設規模及びその施設の桝ユニット２の高さに関わらず桝ユニット２の内寸法は、例えば４６０ｍｍ×６００ｍｍの四角形状で共通である。この例の場合に、汚泥排出用の整流底盤２１は、外寸が４６０ｍｍ×６００ｍｍ以下で高さは２００ｍｍ程度の平面四角形の樹脂整形体からなり、その上面に波長が１００ｍｍ程度、最大高低差が５０ｍｍ程度の３条の波形を有し、その波形の波長方向と直交する方向の整流底盤２１の幅６００ｍｍに対して高低差１００ｍｍ程度の勾配を設けた雨水案内面２２を形成している。図１３（ａ）と図１３（ｂ）において、二点鎖線はこの雨水案内面２２の前記波形を表しており、図１３（ａ）〜（ｂ）において矢印はその勾配方向を示している。
【００３９】
この整流底盤２１は、図１４に示すようにしてパネル１により組み立てられた桝ユニット２の底部に設置される。そして、雨水案内面２２の低い方の桝ユニット２のパネル１の壁部には、同雨水案内面２２の波形の底部に当たる位置に５０ｍｍφ程度の汚泥排出口６を開設する。図示はしていないが、汚泥排出口６に短管を差し込みその先端には前述のフィルターを取り付ける。短管或いはフィルターは脱着可能な構造とする。前記の整流底盤２１は、樹脂整形体であることから比重が低く、浮上する可能性があるので、長辺及び短辺の相対するいずれかの２辺に底部から横水平に７ｃｍ幅程度の浮上防止板２３を取り付け、この部分を桝ユニット２を形成するパネル１の下に挟む。
【００４０】
５年に１度の大雨或いは、１０年に１度の大雨及び雷雨や台風などによる一時的に集中する強雨は、駐車場や緑地帯他の表面排水及び建築物の屋根やＵ字溝など様々な土や他の汚濁物などを濁水化して雨水貯留浸透施設に流入する。施設内の濁水化した雨水は、比重の重い物から徐々に沈降して浮遊物を除いては最終的に比較的比重の軽い細粒子物が沈降し施設内に堆積する。桝ユニット２内の空洞部にも濁水化した雨水が流入して同じ様な状況となるが、桝ユニット２を形成するパネル１には、雨水が流入する流入口に予め前述したフィルター１１を取り付けていることにより、このフィルター１１によって比重の重い粒子物や浮遊物の流入を防止しているので主に比較的比重の軽い細粒子物を含んだ雨水が流入する。雨水の細粒子物は、桝ユニット２の底面に取り付けたへどろ及び汚泥排出用の整流底盤２１の雨水案内面２２の何れかの波形の底の部分に沈降する。細粒子物には、粘性度が低く或いは軟性であることからへどろ及び汚泥化した状況で堆積する。前記の整流底盤２１の上に堆積したへどろ及び汚泥は、整流底盤２１の波形を有する雨水案内面２２が排出口に向かって勾配があることから、へどろ及び汚泥はその雨水案内面２２の勾配によって汚泥排出口６から桝ユニット２の外部に排出される。
【００４１】
また、フィルターが何かの現象によって詰まるなど或いは、何かの現象によって桝ユニット２内の空洞部にへどろ及び汚泥などが異常に堆積した場合は、フィルターを外し或いは、フィルターを取り付けた短管を外して高圧洗浄機などで空洞部及び波形板を洗浄する。この様に、桝ユニット２内の底部底面にへどろ及び汚泥の排出用の整流底盤２１を取り付けることによって、桝ユニット２内空洞部の適正な維持管理が可能となるため、従来工法の問題点を解消出来る。
【産業上の利用可能性】
【００４２】
本発明は、降雨の際に、建物の屋根や舗装面上に落ちた雨水を集めて、一時的に貯留し、その後漸次地盤に浸透させて雨水の処理を図る雨水貯留浸透施設について、簡便に任意の規模の施設を構築出来る点で、都市開発や宅地開発等の分野において特にその産業上の利用可能性を有する。
【図面の簡単な説明】
【００４３】
【図１】本発明による雨水貯留浸透施設の桝ユニットを組み立てるためのパネルの例を示す平面図、正面図及び側面図である。
【図２】本発明による雨水貯留浸透施設の桝ユニットを組み立てるためのパネルを上下に２枚組み合わせた状態の例を示す正面図と側面図である。
【図３】本発明による雨水貯留浸透施設の桝ユニットの例を示す斜視図である。
【図４】本発明による雨水貯留浸透施設の桝ユニットを基礎底盤上に配置して連結した状態の例を示す平面図である。
【図５】本発明による雨水貯留浸透施設の桝ユニットを基礎底盤上に配置して連結した状態の例を示す側面図である。
【図６】本発明による雨水貯留浸透施設の桝ユニットを基礎底盤上に配置して連結した状態の例を示す正面図である。
【図７】本発明による雨水貯留浸透施設の桝ユニットを基礎底盤上に配置して連結した状態の例を示す縦断側面図である。
【図８】本発明による雨水貯留浸透施設の桝ユニットを基礎底盤上に配置して連結した状態の例を示す縦断正面図である。
【図９】本発明による雨水貯留浸透施設の桝ユニットを基礎底盤上に配置して連結した状態の他の例を示す縦断側面図である。
【図１０】本発明による雨水貯留浸透施設の桝ユニットに取り付けるフィルターの例を示す正面図と側面図である。
【図１１】本発明による雨水貯留浸透施設の桝ユニットに取り付けるフィルターの他の例を示す正面図と側面図である。
【図１２】本発明による雨水貯留浸透施設の桝ユニットのパネルにフィルターを取り付ける前と取り付けた状態の例を示す側面図である。
【図１３】本発明による雨水貯留浸透施設の桝ユニットの底部に取り付ける整流底盤の例を示す平面図、正面図及びＡ−Ａ線断面図である。
【図１４】本発明による雨水貯留浸透施設の桝ユニットの底部に整流底盤を取り付けた状態の例を示す平面図とＢ−Ｂ線断面図である。
【符号の説明】
【００４４】
１    パネル
２    桝ユニット
１１  フィルタ
１４  半球形体
１５  スリット
２１  整流用底盤
２２  雨水案内面
【図１】
2008248479.tif 000003
【図２】
2008248479.tif 000004
【図３】
2008248479.tif 000005
【図４】
2008248479.tif 000006
【図５】
2008248479.tif 000007
【図６】
2008248479.tif 000008
【図７】
2008248479.tif 000009
【図８】
2008248479.tif 000010
【図９】
2008248479.tif 000011
【図１０】
2008248479.tif 000012
【図１１】
2008248479.tif 000013
【図１２】
2008248479.tif 000014
【図１３】
2008248479.tif 000015
【図１４】
2008248479.tif 000016